【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
画像を表示する表示装置を備えた携帯型電子機器において、
前記表示装置に表示する画像の種別を判別する画像判別手段と、
前記表示する画像の輝度を検出する画像輝度検出手段と、
前記画像輝度検出手段が検出した画像輝度に基づいて、前記画像判別手段が判別した画像種別に応じたタイミングで前記表示装置の表示輝度を制御する表示制御手段と、
を備えることを特徴とする携帯型電子機器。
【請求項２】
前記画像判別手段が判別した画像種別が動画像である場合、
前記表示制御手段は、当該動画像のフレーム同期信号に基づくタイミングで動作し、
前記画像判別手段が判別した画像種別が静止画像である場合、
前記表示制御手段は、動画像である場合の動作タイミングよりも長い時間間隔となるタイミングで動作する、
ことを特徴とする請求項１に記載の携帯型電子機器。
【請求項３】
外光照度を検出するセンサ装置と、
前記センサ装置の検出信号を取得する検出信号取得手段と、
をさらに備え、
前記表示制御手段は、前記画像輝度検出手段が検出した画像輝度とともに、前記検出信号取得手段が検出した検出信号に基づいて、前記画像判別手段が判別した画像種別に応じたタイミングで前記表示装置の表示輝度を制御する、
ことを特徴とすることを特徴とする請求項１または２に記載の携帯型電子機器。
【請求項４】
表示装置の調光をおこなう表示制御装置であって、
前記表示装置に表示する画像の種別を判別する画像判別手段と、
前記表示する画像の輝度を検出する画像輝度検出手段と、
前記画像輝度検出手段が検出した画像輝度に基づいて、前記画像判別手段が判別した画像種別に応じたタイミングで前記表示装置の表示輝度を制御する調光手段と、
を備えることを特徴とする表示制御装置。
【請求項５】
前記調光手段は、前記画像判別手段が判別した画像種別に応じて、前記表示輝度の制御タイミングを変化させる、
ことを特徴とする請求項４に記載の表示制御装置。
【請求項６】
前記調光手段は、前記画像種別が動画像である場合、当該動画像のフレーム同期信号に基づいたタイミングで前記表示輝度を制御する、
ことを特徴とする請求項５に記載の表示制御装置。
【請求項７】
前記調光手段は、前記画像種別が静止画像である場合、動画像を表示する場合の制御タイミングよりも長い時間間隔で前記表示輝度を制御する、
ことを特徴とする請求項５または６に記載の表示制御装置。
【請求項８】
外光照度を検出する外光照度検出手段をさらに備え、
前記調光手段は、前記画像輝度検出手段が検出した画像輝度とともに、前記外光照度検出手段が検出した外光照度に基づいて、前記画像判別手段が判別した画像種別に応じたタイミングで前記表示装置の表示輝度を制御する、
ことを特徴とする請求項４乃至７のいずれか１項に記載の表示制御装置。
【請求項９】
前記外光照度検出手段は、
外光照度を検出するセンサ手段と、
前記センサ手段による検出信号をサンプリングしてデジタル信号に変換する信号変換手段と、をさらに備え、
前記信号変換手段は、前記画像判別手段が判別した画像種別に応じて、前記サンプリングのサンプリング周期を変化させる、
ことを特徴とする請求項８に記載の表示制御装置。
【請求項１０】
前記信号変換手段は、前記画像種別が動画像である場合、当該動画像のフレーム同期信号に基づいたサンプリング周期で前記サンプリングをおこなう、
ことを特徴とする請求項９に記載の表示制御装置。
【請求項１１】
前記信号変換手段は、前記画像種別が静止画像である場合、動画像を表示する場合のサンプリング周期よりも長いサンプリング周期で前記サンプリングをおこなう、
ことを特徴とする請求項９または１０に記載の表示制御装置。
【請求項１２】
前記表示装置は、バックライトを備えた液晶表示装置であり、
前記調光手段は、前記バックライトの光量を制御することで、前記表示輝度を制御する、
ことを特徴とする請求項４乃至１１のいずれか１項に記載の表示制御装置。
【請求項１３】
表示装置の調光をおこなう表示制御装置を制御するコンピュータに、
前記表示装置に表示する画像の種別を判別する画像判別手順と、
前記表示する画像の輝度を検出する画像輝度検出手順と、
前記画像輝度検出手順で検出した画像輝度に基づいて、前記画像判別手順で判別した画像種別に応じたタイミングで前記表示装置の表示輝度を制御する調光手順と、
を実現させることを特徴とするプログラム。
【手続補正２】
【補正対象書類名】明細書
【補正対象項目名】０００８
【補正方法】変更
【補正の内容】
【０００８】
上記目的を達成するため、本発明の第１の観点に係る携帯型電子機器は、
画像を表示する表示装置を備えた携帯型電子機器において、
前記表示装置に表示する画像の種別を判別する画像判別手段と、
前記表示する画像の輝度を検出する画像輝度検出手段と、
前記画像輝度検出手段が検出した画像輝度に基づいて、前記画像判別手段が判別した画像種別に応じたタイミングで前記表示装置の表示輝度を制御する表示制御手段と、
を備えることを特徴とする。
【手続補正３】
【補正対象書類名】明細書
【補正対象項目名】０００９
【補正方法】変更
【補正の内容】
【０００９】
上記携帯型電子機器において、
前記画像判別手段が判別した画像種別が動画像である場合、
前記表示制御手段は、当該動画像のフレーム同期信号に基づくタイミングで動作し、
前記画像判別手段が判別した画像種別が静止画像である場合、
前記表示制御手段は、動画像である場合の動作タイミングよりも長い時間間隔となるタイミングで動作する、ことが望ましい。
また、上記携帯型電子機器において、
外光照度を検出するセンサ装置と、
前記センサ装置の検出信号を取得する検出信号取得手段と、
をさらに備えていることが望ましく、この場合、
前記表示制御手段は、前記画像輝度検出手段が検出した画像輝度とともに、前記検出信号取得手段が検出した検出信号に基づいて、前記画像判別手段が判別した画像種別に応じたタイミングで前記表示装置の表示輝度を制御する、ことが望ましい。
【手続補正４】
【補正対象書類名】明細書
【補正対象項目名】００１０
【補正方法】変更
【補正の内容】
【００１０】
上記目的を達成するため、本発明の第２の観点にかかる表示制御装置は、
表示装置の調光をおこなう表示制御装置であって、
前記表示装置に表示する画像の種別を判別する画像判別手段と、
前記表示する画像の輝度を検出する画像輝度検出手段と、
前記画像輝度検出手段が検出した画像輝度に基づいて、前記画像判別手段が判別した画像種別に応じたタイミングで前記表示装置の表示輝度を制御する調光手段と、
を備えることを特徴とする。
【手続補正５】
【補正対象書類名】明細書
【補正対象項目名】００１３
【補正方法】変更
【補正の内容】
【００１３】
上記表示制御装置において、
前記調光手段は、前記画像種別が静止画像である場合、動画像を表示する場合の制御タイミングよりも長い時間間隔で前記表示輝度を制御することが望ましい。
また、上記表示制御装置において、
外光照度を検出する外光照度検出手段をさらに備えていることが望ましく、この場合、
前記調光手段は、前記画像輝度検出手段が検出した画像輝度とともに、前記外光照度検出手段が検出した外光照度に基づいて、前記画像判別手段が判別した画像種別に応じたタイミングで前記表示装置の表示輝度を制御する、ことが望ましい。
【手続補正６】
【補正対象書類名】明細書
【補正対象項目名】００１８
【補正方法】変更
【補正の内容】
【００１８】
さらに、上記目的を達成するため、本発明の第３の観点にかかるプログラムは、表示装置の調光をおこなう表示制御装置を制御するコンピュータに、前記表示装置に表示する画像の種別を判別する画像判別手順と、前記表示する画像の輝度を検出する画像輝度検出手順と、前記画像輝度検出手順で検出した画像輝度に基づいて、前記画像判別手順で判別した画像種別に応じたタイミングで前記表示装置の表示輝度を制御する調光手順と、を実現させることを特徴とする。